(57)【要約】【課題】植木鉢の側壁の内側に沿って植物の根がどの方向に生育しても、植物の根が植木鉢の側壁の溝や穴から必ず外に出るように溝や穴を配置し、植木鉢に植えられた植物の根詰りの発生を少なくする。【解決の手段】植木鉢は主要部材が側面の側壁と底面の底壁で構成され、複数本の溝を植木鉢の側壁に貫通して彫り、又は、複数本の溝及び複数個の穴を植木鉢の側壁に貫通して彫り、植木鉢の側壁に貫通して彫った複数本の溝を組み合わせて、又は、植木鉢の側壁に貫通して彫った複数本の溝と複数個の穴を組み合わせて、植物の根が植木鉢の側壁の内側に沿ってどの方向に生育しても側壁の溝や穴から必ず及びなるべく早く外に出るように溝や穴を配置し、植木鉢に植えられた植物の根詰りの発生を少なくする。【選択図】    図５
2004194627.tif 000002
【特許請求の範囲】
【請求項１】
植木鉢の側壁に彫った貫通した溝で、植木鉢は主要部材が側面の側壁と底面の底壁で構成され、複数本の垂直な直線の溝Ａが植木鉢の側壁に貫通して彫られ、及び複数本の水平な直線の溝Ｂが植木鉢の側壁に貫通して彫られた、以上のことを特徴とする植木鉢。
【請求項２】
植木鉢の側壁に彫った貫通した溝で、植木鉢は主要部材が側面の側壁と底面の底壁で構成され、複数本の直線の溝Ｃが植木鉢の側壁に貫通して彫られ、及び直線の溝Ｃに平行でない複数本の直線の溝Ｄが植木鉢の側壁に貫通して彫られた、以上のことを特徴とする植木鉢。
【請求項３】
植木鉢の側壁に彫った貫通した溝で、植木鉢は主要部材が側面の側壁と底面の底壁で構成され、複数本の曲線の溝Ｅが植木鉢の側壁に貫通して彫られた、以上のことを特徴とする植木鉢。
【請求項４】
植木鉢の側壁に彫った貫通した溝で、植木鉢は主要部材が側面の側壁と底面の底壁で構成され、複数個の円形又は楕円形の溝Ｆが植木鉢の側壁に貫通して彫られ、及び溝Ｆの内側に円形又は楕円形の溝Ｇが植木鉢の側壁に貫通して彫られ、溝Ｆ，Ｇを繋ぐ部材Ｘが溝Ｆ，Ｇの両岸を繋いだ、以上のことを特徴とする植木鉢。
【請求項５】
植木鉢の側壁に彫った貫通した溝で、植木鉢は主要部材が側面の側壁と底面の底壁で構成され、複数本の直線の溝Ｈが植木鉢の側壁に貫通して彫られ、及び複数本の曲線の溝Ｊが植木鉢の側壁に貫通して彫られた、以上のことを特徴とする植木鉢。
【請求項６】
植木鉢の側壁に彫った貫通した溝、及び植木鉢の側壁に彫った貫通した穴で、植木鉢は主要部材が側面の側壁と底面の底壁で構成され、複数本の溝Ｋが植木鉢の側壁に貫通して彫られ、及び複数個の穴Ｌが植木鉢の側壁に貫通して彫られた、以上のことを特徴とする植木鉢。
【発明の詳細な説明】
【０００１】
【発明の属する技術分野】
植木鉢に植えられた植物の根の根詰まりの技術。
【０００２】
【従来の技術】
植木鉢に植え込んだ植物の根が植木鉢の内側いっぱいに生育し、根詰りが発生する。
【０００３】
【発明が解決しようとする課題】
植木鉢の側壁の内側に沿って植物の根がどの方向に生育しても、植物の根が植木鉢の側壁の溝や穴から必ず外に出るように溝や穴を配置し、植木鉢に植えられた植物の根詰りの発生を少なくする。
【０００４】
【課題を解決するための手段】
植木鉢は主要部材が側面の側壁と底面の底壁で構成され、複数本の溝を植木鉢の側壁に貫通して彫り、又は、複数本の溝及び複数個の穴を植木鉢の側壁に貫通して彫り、植木鉢の側壁に貫通して彫った複数本の溝を組み合わせて、又は、植木鉢の側壁に貫通して彫った複数本の溝と複数個の穴を組み合わせて、植物の根が植木鉢の側壁の内側に沿ってどの方向に生育しても側壁の溝や穴から必ず及びなるべく早く外に出るように溝や穴を配置し、植木鉢に植えられた植物の根詰りの発生を少なくする。
【０００５】
【発明の実施の形態】
陶磁器やプラスチックで造られた植木鉢の側面である側壁に彫った貫通した溝で、植木鉢は主要部材が側面の側壁と底面の底壁で構成され、複数本の垂直な直線の溝Ａが植木鉢の側壁に貫通して彫られ、及び複数本の水平な直線の溝Ｂが植木鉢の側壁に貫通して彫られ、溝Ａ，Ｂの両端を丸くした、以上のことを特徴とする植木鉢。
【０００６】
陶磁器やプラスチックで造られた植木鉢の側面である側壁に彫った貫通した溝で、植木鉢は主要部材が側面の側壁と底面の底壁で構成され、複数本の直線の溝Ｃが植木鉢の側壁に貫通して彫られ、及び直線の溝Ｃに平行でない複数本の直線の溝Ｄが植木鉢の側壁に貫通して彫られ、溝Ｃ，Ｄの両端を丸くした、以上のことを特徴とする植木鉢。
【０００７】
陶磁器やプラスチックで造られた植木鉢の側面である側壁に彫った貫通した溝で、植木鉢は主要部材が側面の側壁と底面の底壁で構成され、複数本の曲線の溝Ｅが植木鉢の側壁に貫通して彫られ、溝Ｅの両端を丸くした、以上のことを特徴とする植木鉢。
【０００８】
陶磁器やプラスチックで造られた植木鉢の側面である側壁に彫った貫通した溝で、植木鉢は主要部材が側面の側壁と底面の底壁で構成され、複数個の円形又は楕円形の溝Ｆが植木鉢の側壁に貫通して彫られ、及び各々の溝Ｆの内側に円形又は楕円形の溝Ｇが植木鉢の側壁に貫通して彫られ、溝Ｆ，Ｇを繋ぐ部材Ｘが溝Ｆ，Ｇの両岸を繋いだ、以上のことを特徴とする植木鉢。
【０００９】
陶磁器やプラスチックで造られた植木鉢の側面である側壁に彫った貫通した溝で、植木鉢は主要部材が側面の側壁と底面の底壁で構成され、複数本の直線の溝Ｈが植木鉢の側壁に貫通して彫られ、及び複数本の曲線の溝Ｊが植木鉢の側壁に貫通して彫られ、溝Ｈ，Ｊの両端を丸くした、以上のことを特徴とする植木鉢。
【００１０】
陶磁器やプラスチックで造られた植木鉢の側面である側壁に彫った貫通した溝、及び植木鉢の側面である側壁に彫った貫通した穴で、植木鉢は主要部材が側面の側壁と底面の底壁で構成され、複数本の溝Ｋが植木鉢の側壁に貫通して彫られ、溝Ｋの両端を丸くし、及び複数個の穴Ｌが植木鉢の側壁に貫通して彫られた、以上のことを特徴とする植木鉢。
【００１１】
【実施例】
第１の実施例、図１のように、植木鉢の側壁に彫られた貫通した溝で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数本の垂直な直線の溝Ａが植木鉢の側壁に貫通して彫られ、溝Ａの長さは４ｃｍで幅は５ｍｍ、及び複数本の水平な直線の溝Ｂが植木鉢の側壁に貫通して彫られ、溝Ｂの長さは４ｃｍで幅は５ｍｍ、溝Ａ，Ｂの両端を丸くした、以上のことを特徴とする植木鉢。
【００１２】
第２の実施例、図２のように、植木鉢の側壁に彫られた貫通した溝で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数本の斜めの直線の溝Ｃが植木鉢の側壁に貫通して彫られ、溝Ｃの長さは４ｃｍで幅は５ｍｍ、及び直線の溝Ｃに直角な複数本の直線の溝Ｄが植木鉢の側壁に貫通して彫られ、溝Ｄの長さは４ｃｍで幅は５ｍｍ、溝Ｃ，Ｄの両端を丸くした、以上のことを特徴とする植木鉢。
【００１３】
第３の実施例、図３のように、植木鉢の側壁に彫られた貫通した溝で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数本の曲線の溝Ｅが植木鉢の側壁に貫通して彫られ、溝Ｅの長さは４ｃｍで幅は５ｍｍ、溝Ｅの両端を丸くした、以上のことを特徴とする植木鉢。
【００１４】
第４の実施例、図４のように、植木鉢の側壁に彫られた貫通した溝で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数個の円形の溝Ｆが植木鉢の側壁に貫通して彫られ、円形の溝Ｆの直径は５ｃｍで幅は３ｍｍ、及び各々の溝Ｆの内側に円形の溝Ｇが植木鉢の側壁に貫通して彫られ、円形の溝Ｇの直径は３ｃｍで幅は３ｍｍ、長さ３ｍｍで幅は３ｍｍの溝Ｆ，Ｇを繋ぐ部材Ｘが円形の溝Ｆ，Ｇの両岸を繋いだ、以上のことを特徴とする植木鉢。
【００１５】
第５の実施例、図５のように、植木鉢の側壁に彫られた貫通した溝で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数本の直線の溝Ｈが植木鉢の側壁に貫通して彫られ、溝Ｈの長さは４ｃｍで幅は５ｍｍ、及び複数本の曲線の溝Ｊが植木鉢の側壁に貫通して彫られ、溝Ｊの長さは４ｃｍで幅は５ｍｍ、溝Ｈ，Ｊの両端を丸くした、以上のことを特徴とする植木鉢。
【００１６】
第６の実施例、図６のように、植木鉢の側壁に彫られた貫通した溝、及び植木鉢の側面である側壁に彫られた貫通した穴で、植木鉢は側面の側壁と底面の底壁で構成され、プラスチックで造られた植木鉢の上端の直径は１８ｃｍで下端の直径は１６ｃｍで高さは２１ｃｍ、植木鉢の側壁の厚さ３ｍｍ、複数本の溝Ｋが植木鉢の側壁に貫通して彫られ、溝Ｈの長さは４ｃｍで幅は５ｍｍ、溝Ｋの両端を丸くし、及び複数個の穴Ｌが植木鉢の側壁に貫通して彫られ、穴Ｌの直径は５ｍｍ及び穴Ｌの直径は９ｍｍ、以上のことを特徴とする植木鉢。
【００１７】
【発明の効果】
植木鉢の側壁の内側に沿って植物の根がどの方向に生育しても、植物の根が植木鉢の側壁の溝や穴から必ず及び早く外に出るようなり、植木鉢に植えられた植物の根詰りの発生を少なくなる。
【図面の簡単な説明】
【図１】第１の実施例の植木鉢の側壁。
【図２】第２の実施例の植木鉢の側壁。
【図３】第３の実施例の植木鉢の側壁。
【図４】第４の実施例の植木鉢の側壁。
【図５】第５の実施例の植木鉢の側壁。
【図６】第６の実施例の植木鉢の側壁。
【符号の説明】
Ａ，Ｂ，Ｃ，Ｄ，Ｈ    植木鉢の側壁を貫通した直線の溝、
Ｅ，Ｊ                植木鉢の側壁を貫通した曲線の溝、
Ｆ，Ｇ                植木鉢の側壁を貫通した円形又は楕円形の溝、
Ｋ                    植木鉢の側壁を貫通した溝、
Ｌ                    植木鉢の側壁を貫通した穴、
Ｘ                    円形又は楕円形の溝Ｆ，Ｇの両岸を繋ぐ部材
【図１】
2004194627.tif 000003
【図２】
2004194627.tif 000004
【図３】
2004194627.tif 000005
【図４】
2004194627.tif 000006
【図５】
2004194627.tif 000007
【図６】
2004194627.tif 000008
【手続補正書】
【提出日】平成15年4月18日(2003.4.18)
【手続補正１】
【補正対象書類名】明細書
【補正対象項目名】特許請求の範囲
【補正方法】変更
【補正の内容】
【特許請求の範囲】
【請求項１】
植木鉢の側壁に彫った貫通した溝で、植木鉢は主要部材が側面の側壁と底面の底壁で構成され、複数個の円形又は楕円形の溝Ｆが植木鉢の側壁に貫通して彫られ、及び溝Ｆの内側に円形又は楕円形の溝Ｇが植木鉢の側壁に貫通して彫られ、溝Ｆ，Ｇを繋ぐ部材Ｘが溝Ｆ，Ｇの両岸を繋いだ、以上のことを特徴とする植木鉢。
【請求項２】
植木鉢の側壁に彫った貫通した溝で、植木鉢は主要部材が側面の側壁と底面の底壁で構成され、複数個の円形又は楕円形の溝が植木鉢の側壁に貫通して彫られ、溝を繋ぐ部材が溝の両岸を繋いだ、以上のことを特徴とする植木鉢。